(57)【特許請求の範囲】
【請求項１】
傾斜土面に木本類を植栽するのに用いられる植栽用マットを用いた植栽方法であって、
腐食性材料で形成された多孔質の帯状マット本体に対して、該帯状マット本体の幅方向に延びる培土部が、該帯状マット本体の長さ方向で相互に離隔して複数設けられており、該培土部に対して木本類の根部を埋入支持させることにより該木本類が該帯状マット本体の幅方向一方の端縁部から外方に延び出して保持される植栽用マットを採用し、その培土部に対して前記木本類の前記根部を支持させると共に、前記帯状マット本体の幅方向他方における該木本類の前記根部側の端縁部を、前記傾斜土面から土の内部に向けて差し入れた状態で前記植栽用マットを埋設して、該帯状マット本体の幅方向一方における該木本類の木幹部側の端縁部を該傾斜土面に向けて配置することにより、該帯状マット本体から延び出した該木本類の前記木幹部を該傾斜土面から外方に突出させて植栽することを特徴とする植栽用マットを用いた植栽方法。
【請求項２】
前記植栽用マットにおいて、前記培土部が前記帯状マット本体と別体形成されて該帯状マット本体に取り付けられている請求項１に記載の植栽用マットを用いた植栽方法。
【請求項３】
前記植栽用マットにおいて、前記培土部に対して切込みが形成されており、該切込みに対して前記木本類の根部が挟み込まれることで該培土部に対して該木本類の該根部が支持されるようになっている請求項１又は２に記載の植栽用マットを用いた植栽方法。
【請求項４】
複数の前記植栽用マットを前記傾斜土面の傾斜方向で離隔するように配設した請求項１〜３の何れか１項に記載の植栽用マットを用いた植栽方法。
【請求項５】
前記傾斜土面の表面にパネル施工すると共に、該傾斜土面の表面に配設されたパネルの継目部分に隙間を設けて、該隙間を通じて前記木本類の木幹部を外部に突出させる請求項１〜４の何れか１項に記載の植栽用マットを用いた植栽方法。
【請求項６】
傾斜土面に木本類を植栽するのに用いられる植栽用マットを用いた植栽方法であって、
腐食性材料で形成された多孔質の帯状マット本体に対して、該帯状マット本体の幅方向に延びる培土部が、該帯状マット本体の長さ方向で相互に離隔して複数設けられており、該培土部に対して木本類の根部を埋入支持させることにより該木本類が該帯状マット本体の幅方向一方の端縁部から外方に延び出して保持される植栽用マットを採用し、その培土部に対して前記木本類の前記根部を支持させると共に、土木構造物における前記傾斜土面に対して該植栽用マットを埋設して、該木本類の前記木幹部を該土木構造物の該傾斜土面から外方に突出させて植栽し、且つ、
前記傾斜土面の表面にパネル施工すると共に、該傾斜土面の表面に配設されたパネルの継目部分に隙間を設けて、該隙間を通じて前記木本類の木幹部を外部に突出させることを特徴とする植栽用マットを用いた植栽方法。
【発明の詳細な説明】
【技術分野】
【０００１】
本発明は、砂防堰堤や補強土壁，切土及び盛土の法面等を緑化するために用いられる植栽用マットを用いた砂防堰堤や切土及び盛土の法面等への植栽方法に関するものである。
【背景技術】
【０００２】
従来から、傾斜した土面に草本類や木本類を植栽して、傾斜土面を緑化する植生工が行われている。植生工は、傾斜土面の外観を周囲の風景（山景等）と調和させて美観を維持したり、傾斜土面が太陽の熱を蓄熱／排熱することによる地球の温暖化を抑制するために実施されており、例えば、土砂災害を防止するための砂防堰堤や、道路等を施工する際の切土又は盛土において、傾斜土面を緑化するために用いられている。
【０００３】
ところで、従来では、傾斜した土面に安定して定着させるために、比較的に小型の草本類を中心とする植生が試みられていたが、緑化工の長期的な維持や周囲の景観との調和等をより高度に実現するために、木本類を用いた緑化工法にも注目が集まっている。例えば、特許文献１（特開２００６−１１８２８２号公報）や特許文献２（特開平１１−１３１４８０号公報）が、木本類を用いた植生工に関するものである。即ち、特許文献１において、傾斜土面を覆う壁面材に孔部を穿孔して苗木等を植栽することが提案されていると共に、特許文献２において、壁面材の表面に土壌又はそれに類するものを吹き付けて、吹き付けられた土壌等に植物を植えることが提案されている。
【０００４】
しかしながら、特許文献１，２に記載の緑化方法では、独立した苗木等を一つ一つ植える必要があることから、植栽作業に要する時間が長くなって、工事期間の長期化を招くという問題があった。しかも、独立した苗木や植付け用の部材をそれぞれ施工現場まで輸送する必要があることから、荷積み及び荷降ろしの作業に多くの時間と労力が必要とされるおそれもあった。
【０００５】
なお、特許文献３（特開２００９−７２０６９号公報）や特許文献４（特開２００５−２１０９６５号公報）には、複数の植物を予め植え込んで緑化ユニット化することで、上記問題点の解決を図ることが提案されている。しかし、特許文献３，４に記載の緑化方法では、壁面材の表面上に載置或いは固定されるようになっていることから、植物が定着するのに充分な土壌を準備することが難しく、植物の根部を安定して支持できなかった。一方、充分な量の土壌を準備しようとすると、予め植物を植込んで準備した緑化ユニットの重量が大きくなって、輸送が困難となったり、設置作業が著しく困難になる可能性があった。
【先行技術文献】
【特許文献】
【０００６】
【特許文献１】特開２００６−１１８２８２号公報
【特許文献２】特開平１１−１３１４８０号公報
【特許文献３】特開２００９−７２０６９号公報
【特許文献４】特開２００５−２１０９６５号公報
【発明の概要】
【発明が解決しようとする課題】
【０００７】
本発明は、上述の事情を背景に為されたものであって、その解決課題は、木本類による傾斜土面の緑化を、優れた施工性や輸送性をもって容易に為さしめる、新規な構造の植栽用マットを用いた植栽方法を提供することにある。
【課題を解決するための手段】
【０００８】
すなわち、本発明の第１の態様は、傾斜土面に木本類を植栽するのに用いられる植栽用マットを用いた植栽方法であって、腐食性材料で形成された多孔質の帯状マット本体に対して、該帯状マット本体の幅方向に延びる培土部が、該帯状マット本体の長さ方向で相互に離隔して複数設けられており、該培土部に対して木本類の根部を埋入支持させることにより該木本類が該帯状マット本体の幅方向一方の端縁部から外方に延び出して保持される植栽用マットを採用し、その培土部に対して前記木本類の前記根部を支持させると共に、前記帯状マット本体の幅方向他方における該木本類の前記根部側の端縁部を、前記傾斜土面から土の内部に向けて差し入れた状態で前記植栽用マットを埋設して、該帯状マット本体の幅方向一方における該木本類の木幹部側の端縁部を該傾斜土面に向けて配置することにより、該帯状マット本体から延び出した該木本類の前記木幹部を該傾斜土面から外方に突出させて植栽することを特徴とする。
【０００９】
第１の態様によれば、複数の木本類を帯状のマット本体に植え付けた植栽用マットを傾斜土面に対して敷設することにより、傾斜土面に対する木本類の植生施工を優れた作業効率で行うことが出来る。それ故、傾斜土面の植栽による自然な景観を比較的に短い工事期間で得ることが可能となる。
【００１０】
しかも、培土部を設けられたマット本体を帯状とすることにより、幅寸法が大きいシート状とする場合に比べて、製造用機器の小型化を図ることが出来て製造が容易であると共に、収納（保管）時や輸送時，施工時等において取扱いが極めて容易である。特に、折り畳んだり、ロール状に丸めたりすることにより、収納（保管）や輸送，施工が一層容易となる。
【００１１】
また、従来では、木本類がシートの表面に直交する方向に植栽されていたため、木本類の根部を支持する部分の厚さが不足して、木本類の支持が不安定になり易かった。そこにおいて、本発明では、木本類の根部の埋入方向を帯状マット本体の幅方向としている。これにより、作業性や輸送及び管理の容易性に優れた薄肉マット状の植栽用マットでありながら、木本類の根部の強固且つ安定した支持が実現されているのである。
【００１２】
さらに、木本類をシートの表面に直交する方向で植え付けると、シートを折り畳んだり、ましてやロール状に丸めるということは、木本類が損傷することから極めて困難であった。本発明では、木本類が帯状マット本体の幅方向一方の端縁部から突出するように保持されていることにより、マットを長さ方向で折り畳んだり、長さ方向でロール状に丸めたりした場合にも、木本類の損傷を回避することが出来る。その結果、輸送，保管，施工の何れにおいても、従来構造の植栽用シートに比べて取扱いが容易であり、傾斜土面の植生施工を効率的に行うことが出来るのである。
また、第１の態様によれば、本発明に従う構造の植栽用マットを採用することで、土木構造物の傾斜土面を効率的に緑化することが出来る。また、植栽用マットを土木構造物の傾斜土面に埋設することにより、帯状マット本体の腐食が進行し易くなって、木本類の根部が土木構造物の傾斜土面に定着し易くなる。
【００１３】
本発明の第２の態様は、第１の態様に記載の植栽用マットを用いた植栽方法において、前記培土部が前記帯状マット本体と別体形成されて該帯状マット本体に取り付けられているものである。
【００１４】
第２の態様によれば、帯状マット本体の材質と培土部の材質とを互いに異ならせて、それぞれに要求される特性を高度に実現することが出来る。例えば、多孔質で軽量且つ軟質な帯状マット本体と、根部を確実に支持することが出来ると共に養分を保持した培土部とを、容易に両立することが出来る。
【００１５】
本発明の第３の態様は、第１又は第２の態様に記載の植栽用マットを用いた植栽方法において、前記培土部に対して切込みが形成されており、該切込みに対して前記木本類の根部が挟み込まれることで該培土部に対して該木本類の該根部が支持されるようになっているものである。
【００１６】
第３の態様によれば、木本類の根部を培土部で挟み込む構造を採用することで、根部の形状やサイズの許容範囲を広く取ることが出来て、任意の種類の木本類を選択して容易に植栽することが可能となる。
【００１９】
本発明の第４の態様は、第１〜第３の何れか１つの態様に記載の植栽用マットを用いた植栽方法において、複数の前記植栽用マットを前記土木構造物における前記傾斜土面の傾斜方向で離隔するように配設したものである。
【００２０】
第４の態様によれば、複数の植栽用マットを土木構造物の高さ方向で離隔するように配設することによって、土木構造物の傾斜土面を広範囲に亘って効率良く緑化することが出来る。特に、植栽用マットの長さを土木構造物の大きさに応じて適当に設定することで、敷設する植栽用マットの数を少なくすることが出来る。
【００２１】
本発明の第５の態様は、第１〜第４の何れか１つの態様に記載の植栽用マットを用いた植栽方法において、前記傾斜土面の表面にパネル施工すると共に、該傾斜土面の表面に配設されたパネルの継目部分に隙間を設けて、該隙間を通じて前記木本類の木幹部を外部に突出させたものである。
【００２２】
第５の態様によれば、パネルによって土木構造物の傾斜土面を保護することが出来ると共に、パネル間に隙間を設けることで木本類の木幹部の成長が阻害されるのを回避して、傾斜土面の緑化が有効に実現される。
【発明の効果】
【００２７】
本発明によれば、複数の木本類を植栽された植栽用マットによって、緑化工を優れた作業効率で施工することが出来る。しかも、植栽用マットが帯状とされていることにより、製造し易いと共に、施工作業や輸送が極めて容易である。加えて、木本類が植栽用マットの面に平行な方向で植栽されるようになっていることから、取扱い易いマット状でありながら、木本類の根部が植栽用マットによって安定して支持される。
【図面の簡単な説明】
【００２８】
【図１】本発明の一実施形態としての植栽用マットの平面図。
【図２】図１のＩＩ−ＩＩ断面図。
【図３】図１の植栽用マットの拡大断面図であって、図１のＩＩＩ−ＩＩＩ線断面に相当する図。
【図４】図１に示された植栽用マットを用いて緑化された砂防堰堤の正面図。
【図５】図４のＶ−Ｖ断面図。
【図６】図４に示された砂防堰堤の平面形状を示す図。
【図７】図４に示された砂防堰堤の要部を拡大して示す断面図。
【図８】図１に示された植栽用マットを用いて緑化された盛土（切土）の要部を拡大して示す断面図。
【図９】図１に示された植栽用マットを用いて緑化された補強土壁を示す断面図。
【図１０】図１に示された植栽用マットを用いて緑化された補強土壁の別の一態様を示す断面図。
【発明を実施するための形態】
【００２９】
以下、本発明の実施形態について、図面を参照しつつ説明する。
【００３０】
先ず、図１〜３には、本発明の一実施形態としての植栽用マット１０が示されている。植栽用マット１０は、帯状マット本体１２と培土部１４とを含んで構成されている。なお、以下の説明において、上下方向とは、帯状マット本体１２の厚さ方向である、図２中の上下方向を言う。
【００３１】
帯状マット本体１２は、全体として幅寸法が長さ寸法に対して充分に小さい略矩形板状とされており、ヤシの殻や木本等から取り出した植物繊維を主原料として、結合剤で接着する等して所定形状に不織成形したり、製織によって所定形状に成形することにより、形成されている。このことからも明らかなように、帯状マット本体１２は、腐食性材料で形成されており、土壌中の微生物等によって分解されるようになっている。なお、土壌によって分解される性質を備えた合成樹脂等で形成されていても良い。
【００３２】
さらに、帯状マット本体１２は、多孔質で優れた透水性を有している。これにより、雨天時において、雨水を必要以上に保持することで質量が増大したり、帯状マット本体１２の表面を雨水が流れたりすることによって、帯状マット本体１２の配設位置がずれるのを回避することが出来る。なお、好適には、帯状マット本体１２に形成された孔は、０．５ｍｍ程度の土粒子が入り込む程度の大きさとされるが、透水性を実現し得る程度の微細孔でも良い。
【００３３】
更にまた、帯状マット本体１２は、ある程度の含水性を有している。これにより、雨天時に雨水を所定量だけ保持して、後述する木本類１８に必要な水分を確保するようになっている。なお、後述する木本類１８の成長に資する肥料や薬剤等が、付着又は織込みによって帯状マット本体１２に保持されて、確保された雨水にそれら養分や薬剤が溶け出すようになっていても良い。
【００３４】
また、帯状マット本体１２は、長さ寸法が幅寸法よりも充分に大きくなっていると共に、軟質且つ充分に薄肉とされて、ロール状に丸めたり、長さ方向に折り畳んだりすることが可能とされている。
【００３５】
さらに、帯状マット本体１２の幅方向（図１中、上下方向）一方の端部には、袋状部１６が一体形成されている。袋状部１６は、図３に示されているように、帯状マット本体１２の幅方向一方の端部を厚さ方向に重ね合わされた二重構造とすることによって形成されており、帯状マット本体１２の幅方向に延びている。また、袋状部１６は、開口部から底部までの長さ寸法が、帯状マット本体１２の幅寸法よりも小さくされており、袋状部１６の内部空間が凹所状の収容領域とされて幅方向一方の端面に開口している。この袋状部１６は、帯状マット本体１２に対して、長さ方向で所定距離を隔てて複数形成されている。
【００３６】
また、袋状部１６には、それぞれ培土部１４が取り付けられている。培土部１４は、ロックウール等の透水性に優れた材料を長手ブロック状に成形した固化培土とされており、帯状マット本体１２とは異なる材料で別体形成されている。そして、培土部１４が袋状部１６に嵌め込まれることにより、培土部１４が帯状マット本体１２の幅方向に延びるように取り付けられると共に、培土部１４の端面が袋状部１６の開口部を通じて外部に露出される。これにより、帯状マット本体１２に培土部１４を組み付けた植栽用マット１０が形成されている。なお、植栽用マット１０では、複数の培土部１４が帯状マット本体１２の長さ方向で相互に離隔して設けられている。また、好適には、後述する木本類１８の成長促進を目的として、培土部１４の構成材料に肥料や土壌等が含まれる。
【００３７】
かくの如き構造とされた植栽用マット１０には、木本類１８が植栽されるようになっている。この木本類１８としては、特に限定されるものではないが、比較的に低木であって、後述する傾斜土面３０への定着率に優れるものが選択される。具体的には、例えば、ヤナギやウツギ，キハギ，ヒイラギ，ヒバ，サカキ，サンショウ等が好適に採用される。なお、木本類１８の根部には、適当量の土壌を付着させて、培土部１４への定着を促進させることが望ましい。
【００３８】
そして、培土部１４の外部に露出する側の端面に形成された切込みに対して、木本類１８の幼木や成木が植栽されることにより、又は木本類１８の種子が播種されることにより、木本類１８が培土部１４に植え付けられて、木本類１８の根部が培土部１４によって支持されるようになっている。各培土部１４に植え付けられた木本類１８は、何れも帯状マット本体１２の幅方向一方の端部側に向かって突出するように保持される。なお、木本類１８が植栽又は播種された培土部１４を土壌に埋め入れて木本類１８をある程度まで育成した後、培土部１４を帯状マット本体１２の袋状部１６に移すことで、木本類１８を植栽用マット１０に植え付けても良い。
【００３９】
ところで、植栽された植栽用マット１０は、例えば、図４〜７に示されているような土木構造物としての砂防堰堤２０の緑化に用いられる。砂防堰堤２０は、谷等において砂礫を堰き止めるように設けられており、上流側と下流側で互いに対向するようにそれぞれ立設された一対の壁面材２２，２２が、複数のタイロッド２４，２４，・・・で相互に連結されていると共に、それら一対の壁面材２２，２２の対向面間に土壌等の中詰材２６が充填された構造を有している。なお、図４〜７，後述する図８，９では、植栽用マット１０の配設状態が明確になるように、植栽用マット１０が拡大して図示されている。
【００４０】
壁面材２２は、例えばエキスパンドメタルのような硬質の網目状パネル等で形成された複数の矩形パネル２８を組み合わせて形成されている。なお、矩形パネル２８の網目は、木本類１８の成長を妨げない程度に大きくされている。
【００４１】
また、壁面材２２の対向面間には、中詰材２６が転圧によって締め固められながら充填されており、中詰材２６の傾斜土面３０に対して壁面材２２が重ね合わされている。特に本実施形態では、パネル２８の高さに合わせて段階的に中詰材２６の充填と転圧が行われて、中詰材２６が層状とされている。
【００４２】
さらに、中詰材２６の充填後には、壁面材２２，２２及び中詰材２６の上方に、天端部材３２が配設される。天端部材３２は、鉄筋コンクリート製で略ブロック形状を有しており、壁面材２２，２２及び中詰材２６の上面を全体に亘って覆うように配設されている。また、天端部材３２の幅方向中央部分には、上方に開口して一対の壁面材２２，２２の対向方向に延びる凹溝３４が形成されている。
【００４３】
また、中詰材２６の表面には、吸出し防止材３６が敷設されている。吸出し防止材３６は、ポリエステル繊維等で形成された長繊維の不織布であって、矩形シート状のものが中詰材２６の表面に複数張り付けられることにより、中詰材２６の傾斜土面３０を含む表面が略全面に亘って覆われている。なお、中詰材２６の表面を全体に亘って一様な吸出し防止材３６で覆っても良いし、例えば、下流側の一部において、長繊維不織布に代えて、草本類を植生させた緑化シートを採用しても良い。
【００４４】
かくの如き構造とされた砂防堰堤２０は、植栽用マット１０を利用して緑化されている。即ち、中詰材２６に対して、複数の植栽用マット１０が埋め込まれており、植栽用マット１０に植え付けられた木本類１８が砂防堰堤２０の傾斜土面３０に植栽されている。
【００４５】
より詳細には、複数の植栽用マット１０が、段階的に充填された中詰材２６の層の間で中詰材２６の正面側と背面側にそれぞれ挟み込まれるように配設されている。そして、植栽用マット１０は、帯状マット本体１２が中詰材２６によって支持されていると共に、袋状部１６の開口部が中詰材２６の傾斜土面３０（壁面材２２，２２が重ね合わされる正面及び背面）に開口している。また、中詰材２６の各層間にそれぞれ植栽用マット１０を敷設して埋設支持させることにより、傾斜土面３０の傾斜方向、換言すれば、砂防堰堤２０の高さ方向で相互に所定距離を隔てて複数の植栽用マット１０が配設されている。
【００４６】
さらに、木本類１８の木幹部が矩形パネル２８の網目よりも小径とされており、植栽用マット１０に植え付けられた木本類１８が、矩形パネル２８で形成された壁面材２２を貫通して、外部に突出するようになっている。これにより、培土部１４に植栽された木本類１８が、中詰材２６の傾斜土面３０から突出して壁面材２２の表面上に延び出すように配置されて、砂防堰堤２０の正面と背面が木本類１８によって緑化される。なお、本実施形態では、組み合わされるパネル２８の継目部分において、矩形パネル２８の網目を利用した挿通部が設けられており、この挿通部を通じて木本類１８が壁面材２２を貫通するように突出している。また、木本類１８は、植栽用マット１０を中詰材２６に埋め入れる前に予め植え付けられていても良いし、帯状マット本体１２を中詰材２６に埋め入れた後で、木本類１８を植栽した培土部１４が帯状マット本体１２の袋状部１６に嵌め入れられるようになっていても良い。
【００４７】
このような構造とされた植栽用マット１０では、複数の木本類１８が、帯状とされたマット本体１２に植え付けられている。それ故、帯状マット本体１２を敷設することによって、複数の木本類１８を一度に植生させることが出来て、木本類１８による緑化工を優れた作業効率で実施することが出来る。
【００４８】
しかも、植栽用マット１０は、全体として薄肉マット状とされていると共に、柔軟な材料で形成されている。それ故、ロール状に丸めたり、折り畳んだりすることが可能であって、倉庫での管理や施工現場への輸送，敷設作業が、何れも極めて容易である。特に、ロール状に丸めることによれば、植栽用マット１０を展開し易くなって、敷設作業の簡単化がより有利に実現される。
【００４９】
また、培土部１４が、帯状マット本体１２の幅方向一方の端部から突出するように、帯状マット本体１２の面方向に配設されており、木本類１８が培土部１４に対して帯状マット本体１２の幅方向に突出して植栽されるようになっている。それ故、薄肉のマット形状とされた植栽用マット１０でありながら、木本類１８の根部が確実に支持されて、木本類１８の植生が効果的に実現可能とされている。
【００５０】
また、木本類１８の植栽部分が、帯状マット本体１２とは別体の培土部１４とされている。それ故、異なる特性を要求される帯状マット本体１２と培土部１４において、何れも要求特性を高度に満たすことが出来る。具体的には、例えば、帯状マット本体１２において軽量且つ柔軟な材料を選択して、取扱いを容易にすると共に、培土部１４において保水性に優れた材料を選択して、木本類１８への安定した水分供給を実現することが出来る。
【００５１】
また、木本類１８は、その根部が培土部１４に形成された切込みで挟み込まれることにより、支持されている。これによれば、任意の種類の木本類１８を選択して容易に植生させることが可能となる。なお、培土部１４が二つに分割されており、それら分割体の間に木本類１８の根部が挟み込まれるようになっていても良い。
【００５２】
また、木本類１８の根部が成長するに従って次第に傾斜土面３０から入り込んで、中詰材２６が木本類１８の根部で緊縛されて補強される。その結果、砂防堰堤２０の耐久性の向上が図られる。特に、草本類よりも根部が発達する木本類１８を植生することにより、緊縛効果を有利に得ることが出来て、耐久性の向上が効果的に実現される。
【００５３】
また、帯状マット本体１２が、土壌によって腐食分解されるヤシ殼等の植物繊維で形成されていることから、長期的には、帯状マット本体１２が分解されて、木本類１８が傾斜土面３０に定着し易くなると共に、傾斜土面３０が肥沃化される。このように、腐食分解性の材料で帯状マット本体１２を形成することにより、木本類１８による緑化の進行を促進することが出来る。
【００５４】
また、壁面材２２が、複数のパネル２８を組み合わせて形成されていると共に、各パネル２８がエキスパンドメタル等で形成されて、それらパネル２８の継目部分に木本類１８の挿通部が設けられている。これにより、傾斜土面３０の表面を壁面材２２で保護することが出来ると共に、壁面材２２の表面を土壌で形成された中詰材２６に根付いた木本類１８によって緑化することが出来る。その結果、優れた耐久性を有する砂防堰堤２０を得ることが出来ると共に、周囲の自然環境に応じた木本類１８を植生させて景観及び環境の保護を高度に実現することが可能となる。
【００５５】
また、木本類１８は、草本類に比べて、自然回復能力に優れており、シカ等による食害によって損傷した場合にも、回復可能性が高い。それ故、緑化後の保全が比較的に容易であると共に、長期間に亘って植生を維持することが出来る。
【００５６】
次に、図８には、植栽用マット１０を用いた緑化工の別の一参考態様が示されている。即ち、図８では、複数の植栽用マット１０が盛土（切土）４０の法面４２（傾斜土面）に敷設されることにより、盛土（切土）４０の法面４２に木本類１８による緑化工が施されている。
【００５７】
すなわち、植栽用マット１０は、帯状マット本体１２の袋状部１６が、法面４２の傾斜方向上側に向かって開口するように配置されて、法面４２の面と平行且つ傾斜方向と直交する方向に延びるように敷設されている。これにより、袋状部１６に嵌め込まれる培土部１４に植栽された木本類１８は、その木幹部が法面４２の傾斜方向上方に向かって延び出すように支持されている。また、複数の植栽用マット１０が傾斜方向で隣接するように並べられており、法面４２が略全面に亘って植栽用マット１０で覆われている。なお、植栽用マット１０は、法面４２に載置されるだけでも良いし、勾配が急な場合等には釘や杭等で固定されても良い。また、法面４２には、植栽用マット１０の敷設前に、吸出し防止材３６が敷設されていても良い。
【００５８】
また、植栽用マット１０を敷設された傾斜土面３０上には、チップ層４４が形成されている。チップ層４４は、おが屑や間伐材をチップ状に加工したもの等と土壌との混合物を、植栽用マット１０及び法面４２の表面に吹き付けることにより、形成されている。なお、植栽用マット１０は、このチップ層４４によって覆われるが、チップ層４４には多数の間隙が形成されており、木本類１８の成長がチップ層４４によって大幅に阻害されるのを回避できる。また、マット状や格子状の傾斜土面保護材等を、チップ層４４に替えて敷設しても良いし、チップ層４４と併せて採用しても良い。
【００５９】
このような植栽用マット１０を用いた盛土（切土）４０の法面緑化工によれば、取り扱い易い植栽用マット１０を法面４２の表面に敷設するという極めて簡単な方法で、木本類１８を植生させることが出来る。
【００６０】
また、植栽用マット１０と法面４２をチップ層４４で覆うことにより、チップ層４４において木材が腐食することで肥沃な土壌層が形成されて、木本類１８に養分が供給される。それ故、木本類１８の成長を促進して、法面４２への定着を図ることが出来る。
【００６１】
次に、図９には、植栽用マット１０を用いた緑化工のまた別の一態様が示されている。即ち、図９では、複数の植栽用マット１０を補強土壁４６に配設することで、補強土壁４６の表面に木本類１８による緑化工が施されている。
【００６２】
補強土壁４６は、一般に良く知られるように、盛土４８の法面を覆うように配設された壁面材５０が、盛土４８内に埋設された補強材５２によって盛土４８の土圧に抗して支持されるようにした土留め構造物である。
【００６３】
壁面材５０は、エキスパンドメタルや溶接金網等の金属製パネルや、コンクリートパネル，コンクリートブロック等によって形成されている。
【００６４】
補強材５２は、帯状や網目状の金属材やアンカプレート付きの棒材，高分子材料で形成された格子状や面状のパネル（ジオテキスタイル）等で形成されており、壁面材５０に対して固設されている。なお、図９に示された態様では、壁面材５０と補強材５２が何れも鋼製の格子状パネルとされており、それら壁面材５０と補強材５２が一体形成されている。また、壁面材５０が盛土４８の法面に対して略平行に広がると共に、補強材５２が略水平に広がっており、全体として略一定のＬ字形乃至は楔形の断面形状をもって図９中の紙面直交方向に延びている。
【００６５】
そして、壁面材５０が盛土４８の法面に重ね合わされると共に、補強材５２が盛土４８に埋設されることにより、補強材５２と盛土４８の間で作用する摩擦抵抗力によって、壁面材５０が盛土４８の土圧に抗して盛土４８の法面を補強支持するようになっている。更に、複数の壁面材５０が盛土４８の法面に平行な方向で上下に重ね合わされることにより、法面の略全体が壁面材５０で覆われて保護されるようになっていると共に、各壁面材５０に一体形成された補強材５２が鉛直方向で離隔して何れも盛土４８に埋設されている。なお、図９では、盛土４８の上端面にアスファルトで形成された路面部５４が設けられている。また、好適には、シート状の吸出し防止材等が盛土４８の法面を覆うように配設されている。
【００６６】
このような構造とされた補強土壁４６には、本発明に係る植栽用マット１０が配設されている。即ち、各補強材５２上に載せられた盛土材の上面に、それぞれ植栽用マット１０が敷設されて、各植栽用マット１０に植設された木本類１８が、格子状とされた壁面材５０の開口を通じて補強土壁４６の壁面上に突出させられている。
【００６７】
なお、植栽用マット１０は、補強土壁４６の施工時に補強材５２の積み上げおよび盛土の工程と合わせて段階的に敷設される。即ち、補強土壁４６は、補強土壁４６を形成する斜面を切土して補強材５２を下段から順次に１つずつ積み上げると同時に、各補強部材の上面に盛土することで形成される。このような補強土壁４６の施工工程において、補強材５２を設置してその補強材５２に盛土した後で、次段の補強材５２を積み重ねる前に、盛土４８の天端面に植栽用マット１０を敷設することにより、補強土壁４６に対して植栽用マット１０を用いた緑化工が施される。
【００６８】
このように、植栽用マット１０は、補強土壁４６の壁面緑化工にも適用可能であり、例えばロール状に纏められた植栽用マット１０を図９中の紙面直交方向に展開することで、簡単な輸送作業と敷設作業によって木本類１８を植生させることが出来る。
【００６９】
なお、補強土壁としては、上述した盛土との摩擦抵抗による引抜抵抗力を利用するテールアルメ工法によるものの他、棒材にアンカプレートを設けた補強材を盛土内に埋設して、アンカプレートの支圧抵抗等による棒材の引抜抵抗力を利用して壁面材を支持するようにした多数アンカー式補強土壁工法によるものや、盛土内にジオテキスタイルを埋設して、ジオテキスタイルと盛土との間で作用する摩擦抵抗等による引抜抵抗力を利用して壁面材を支持するようにしたジオテキスタイル補強土壁工法によるもの等も採用可能である。また、壁面材として、板状のパネルを採用することも可能であり、その場合には、壁面材の上端部に切欠きを設けることで、該切欠きを通じて木本類１８を突出させることが出来る。
【００７０】
また、図１０に示された補強土壁５６のように、植栽用マット１０は、例えば、補強材５２上に盛土をする或いは埋戻土を被せて埋め戻す前に、補強材５２の上面に重ね合わされるように敷設することも出来る。なお、植栽用マット１０は、施工現場において補強材５２上に敷設されるようになっていても良いし、補強材５２上に予め取り付けられていても良い。
【００７１】
以上、本発明の実施形態について詳述してきたが、本発明はその具体的な記載によって限定されない。例えば、前記実施形態では、帯状マット本体１２と培土部１４が別体形成されていたが、それら帯状マット本体と培土部は、一体的に形成されていても良いし、帯状マット本体の材料を適当に選択して、培土としての機能を備えさせることにより、培土部を帯状マット本体の一部によって構成することも出来る。
【００７２】
また、植栽用マット１０は、必ずしも木本類１８のみを植栽されているものに限定されず、例えば、帯状マット本体１２に播種することにより、草本類を帯状マット本体１２に植生させて、木本類１８と併せて採用しても良い。
【００７３】
また、帯状マット本体１２は、必ずしも一体的に帯状で形成されていてなくても良く、例えば、小片形状とされた複数のマット本体が培土部１４を挟んで連結されることにより、全体として帯状マット本体が形成されていても良い。その場合には、培土部１４を収容する円筒状の収容部を介して複数のマット本体が連結されるようになっていても良い。
【００７４】
また、前記実施形態では、培土部１４が帯状マット本体１２の袋状部１６に収容されるようになっていたが、培土部の帯状マット本体への取付手段は、特に限定されるものではない。具体的には、例えば、紐や針金等によって帯状マット本体に括り付けても良いし、接着剤で接着しても良い。また、培土部に対して切込みを形成して、その切込みに帯状マット本体の幅方向端部を差し入れることによって取り付けることも出来る。
【符号の説明】
【００７５】
１０：植栽用マット、１２：帯状マット本体、１４：培土部、１８：木本類、２０：砂防堰堤（土木構造物）、２８：パネル、３０：傾斜土面、４０：盛土（切土）、４２：法面、４４：チップ層
【図１】
0005550310.tif 000002
【図２】
0005550310.tif 000003
【図３】
0005550310.tif 000004
【図４】
0005550310.tif 000005
【図５】
0005550310.tif 000006
【図６】
0005550310.tif 000007
【図７】
0005550310.tif 000008
【図８】
0005550310.tif 000009
【図９】
0005550310.tif 000010
【図１０】
0005550310.tif 000011